(57)【要約】【課題】よりクリアなジュースを作る回転調理装置を提供する。【解決手段】モータ２を内蔵し、その出力側に駆動コネクタ３ａ、３ｂを設けた本体１と、前記駆動コネクタ３ａ、３ｂに着脱自在に係合する従動側コネクタ４ａ、４ｂをもつカッター５およびスピンナー６と、前記スピンナー６内に設けられ液体を分離するフィルター７と、前記フィルター７で分離された液体を受ける容器８と、前記容器８を覆う蓋１１を有し、前記フィルター７の内側に着脱自在のメッシュ付きフィルター９を設け、前記メッシュ付きフィルター９の上部の開口部を小さくし、その先端に下方に突出する凸リブ９ｄを設けたもので、メッシュ付きフィルター９の上部には粕などの微小な固形物の貯蔵スペースができ、流出を防止し、よりクリアなジュースを作ることが出来る。【選択図】図１
2014014421.tif 000002
【特許請求の範囲】
【請求項１】
モータを内蔵し、その出力側に駆動コネクタを設けた本体と、前記駆動コネクタに着脱自在に係合する従動側コネクタをもつカッターおよびスピンナーと、前記スピンナー内に設けられ液体を分離するフィルターと、前記フィルターで分離された液体を受ける容器と、前記容器を覆う蓋を有し、前記フィルターの内側に着脱自在のメッシュ付きフィルターを設け、前記メッシュ付きフィルターの上部の開口部を小さくし、その先端に下方に突出する凸リブを設けた回転調理装置。
【請求項２】
モータを内蔵し、その出力側に駆動コネクタを設けた本体と、前記駆動コネクタに着脱自在に係合する従動側コネクタをもつカッターおよびスピンナーと、前記スピンナー内に設けられ液体を分離するフィルターと、前記フィルターで分離された液体を受ける容器と、前記容器を覆う蓋を有し、前記フィルターの内側に着脱自在のメッシュ付きフィルターを設け、前記メッシュ付きフィルターの内側下部の前記スピンナーにリブを設けた回転調理装置。
【請求項３】
モータを内蔵し、その出力側に駆動コネクタを設けた本体と、前記駆動コネクタに着脱自在に係合する従動側コネクタをもつカッターおよびスピンナーと、前記スピンナー内に設けられ液体を分離するフィルターと、前記フィルターで分離された液体を受ける容器と、前記容器を覆う蓋を有し、前記フィルターの内側に着脱自在のメッシュ付きフィルターを設け、前記メッシュ付きフィルターの上部と前記フィルターの間にスプリングを設けた回転調理装置。
【発明の詳細な説明】
【技術分野】
【０００１】
本発明は、主として野菜、果物等を粉砕して液体物と固形物を分離させることによりジュースをつくる、例えばジューサーなどの回転調理装置に関するものである。
【背景技術】
【０００２】
従来、この種の回転調理装置は、図６のように、モータ２１の出力側に駆動側コネクタ２２を設けた本体２３と、駆動側コネクタ２２に着脱自在に係合する従動側コネクタ２４をもつカッター２５およびスピンナー２６を装備し、前記スピンナー２６内には液体を分離する着脱自在のフィルター２７を設け、前記フィルター２７で分離された液体を受ける容器２８と、前記容器２８を覆う蓋３０を有し、前記フィルター２７の内側に着脱自在の帯状のメッシュフィルター２９を環状に巻いて取り付ける構成をしたものであった（例えば、特許文献１参照）。
【０００３】
上記従来の回転調理装置は以上のように構成されているので、スピンナー２６にメッシュフィルター２９を装着した場合には、クリアなジュースをつくることが出来る。
【先行技術文献】
【特許文献】
【０００４】
【特許文献１】特開昭５９−１６６１１０号公報
【発明の概要】
【発明が解決しようとする課題】
【０００５】
しかしながら、前記特許文献１に記載されたような従来の回転調理装置の構成では、メッシュフィルター２９は形状の自由度がありすぎる故に取り扱い性に劣る面があり、その端面も取り扱いによってほつれる場合があった。また、細かい目のメッシュフイルター２９を装着させても、メッシュフイルター２９の上部や下部から微小な固形物が漏れるという課題があった。
【０００６】
本発明は、前記従来の課題を解決するもので、微小な固形物が漏れることがなく、よりクリアなジュースを作ることが出来る回転調理装置を提供することを目的とする。
【課題を解決するための手段】
【０００７】
前記従来の課題を解決するために、本発明の回転調理装置は、モータを内蔵し、その出力側に駆動コネクタを設けた本体と、前記駆動コネクタに着脱自在に係合する従動側コネクタをもつカッターおよびスピンナーと、前記スピンナー内に設けられ液体を分離するフィルターと、前記フィルターで分離された液体を受ける容器と、前記容器を覆う蓋を有し、前記フィルターの内側に着脱自在のメッシュ付きフィルターを設け、前記メッシュ付きフィルターの上部の開口部を小さくし、その先端に下方に突出する凸リブを設けたもので、メッシュ付きフィルターの上部には粕などの微小な固形物の貯蔵スペースができ、流出を防止し、よりクリアなジュースを作ることが出来る。
【０００８】
また、本発明の回転調理装置は、モータを内蔵し、その出力側に駆動コネクタを設けた本体と、前記駆動コネクタに着脱自在に係合する従動側コネクタをもつカッターおよびスピンナーと、前記スピンナー内に設けられ液体を分離するフィルターと、前記フィルターで分離された液体を受ける容器と、前記容器を覆う蓋を有し、前記フィルターの内側に着脱自在のメッシュ付きフィルターを設け、前記メッシュ付きフィルターの内側下部の前記スピンナーにリブを設けたもので、メッシュ付きフィルターの下部には粕などの微小な固形物の貯蔵スペースができ、流出を防止し、よりクリアなジュースを作ることが出来る。
【０００９】
また、本発明の回転調理装置は、モータを内蔵し、その出力側に駆動コネクタを設けた本体と、前記駆動コネクタに着脱自在に係合する従動側コネクタをもつカッターおよびスピンナーと、前記スピンナー内に設けられ液体を分離するフィルターと、前記フィルターで分離された液体を受ける容器と、前記容器を覆う蓋を有し、前記フィルターの内側に着脱自在のメッシュ付きフィルターを設け、前記メッシュ付きフィルターの上部と前記フィルターの間にスプリングを設けたもので、メッシュ付きフィルターの下部はスピンナーと密着し、メッシュ付きフィルターの下部より粕などの微小な固形物の流出を防止し、よりクリアなジュースを作ることが出来る。
【発明の効果】
【００１０】
本発明の回転調理装置は、微小な固形物の流出を防止し、よりクリアなジュースを作ることが出来るものである。
【図面の簡単な説明】
【００１１】
【図１】本発明の実施の形態１における回転調理装置の断面図
【図２】同回転調理装置の要部断面拡大図
【図３】同回転調理装置の要部断面拡大図
【図４】本発明の実施の形態２における回転調理装置の断面図
【図５】同回転調理装置の要部断面拡大図
【図６】従来の回転調理装置の断面図
【発明を実施するための形態】
【００１２】
第１の発明は、モータを内蔵し、その出力側に駆動コネクタを設けた本体と、前記駆動コネクタに着脱自在に係合する従動側コネクタをもつカッターおよびスピンナーと、前記スピンナー内に設けられ液体を分離するフィルターと、前記フィルターで分離された液体を受ける容器と、前記容器を覆う蓋を有し、前記フィルターの内側に着脱自在のメッシュ付きフィルターを設け、前記メッシュ付きフィルターの上部の開口部を小さくし、その先端に下方に突出する凸リブを設けたもので、メッシュ付きフィルターの上部には粕などの微小な固形物の貯蔵スペースができ、流出を防止し、よりクリアなジュースを作ることが出来る。
【００１３】
第２の発明は、モータを内蔵し、その出力側に駆動コネクタを設けた本体と、前記駆動コネクタに着脱自在に係合する従動側コネクタをもつカッターおよびスピンナーと、前記スピンナー内に設けられ液体を分離するフィルターと、前記フィルターで分離された液体を受ける容器と、前記容器を覆う蓋を有し、前記フィルターの内側に着脱自在のメッシュ付きフィルターを設け、前記メッシュ付きフィルターの内側下部の前記スピンナーにリブを設けたもので、メッシュ付きフィルターの下部には粕などの微小な固形物の貯蔵スペースができ、流出を防止し、よりクリアなジュースを作ることが出来る。
【００１４】
第３の発明は、モータを内蔵し、その出力側に駆動コネクタを設けた本体と、前記駆動コネクタに着脱自在に係合する従動側コネクタをもつカッターおよびスピンナーと、前記スピンナー内に設けられ液体を分離するフィルターと、前記フィルターで分離された液体を受ける容器と、前記容器を覆う蓋を有し、前記フィルターの内側に着脱自在のメッシュ付きフィルターを設け、前記メッシュ付きフィルターの上部と前記フィルターの間にスプリングを設けたもので、メッシュ付きフィルターの下部はスピンナーと密着し、メッシュ付きフィルターの下部より粕などの微小な固形物の流出を防止し、よりクリアなジュースを作ることが出来る。
【００１５】
以下、本発明の実施の形態について、図面を参照しながら説明する。なお、この実施の形態によって本発明が限定されるものではない。
【００１６】
（実施の形態１）
図１は、本発明の実施の形態１における回転調理装置の断面図、図２、３は、同回転調理装置の要部断面拡大図である。
【００１７】
図１において、本実施の形態における回転調理装置は、本体１に内蔵したモータ２に直結した駆動コネクタ３ａ、３ｂと、駆動コネクタ３ａ、３ｂに着脱自在に係合する従動側コネクタ４ａ、４ｂを介しカッター５を回転させ調理物を切削し、同じく従動側コネクタ４ａ、４ｂを介しスピンナー６を回転させ、着脱自在のフィルター７により、液体と固形物を分離させるようになっている。
【００１８】
容器８は、スピンナー６と共に、着脱自在の蓋１１で覆われている。
【００１９】
また、フィルター７で分離された液体は、容器８を通過し、外部へ放出される。クリアなジュースを作る時は、フィルター７の内部に着脱可能なメッシュ付きフィルター９を装着すればよい。
【００２０】
フィルター７は櫛部７ａを有しており、この部位でジュースを分離させる。また、スピンナー６の凹部６ａにフィルター７の凸部７ｂを係合させるようになっており、スピンナー６は係合したフィルター７の凸部７ｂが外れない方向に回転するようになっている。メッシュ付きフィルター９は、フィルター７の内側に着脱自在に係合されている。具体的にはフィルター７の凸部７ｃとメッシュ付きフィルター９の係合部９ｅが係合することで、メッシュ付きフィルター９の上方への移動が規制されるようになっている。
【００２１】
メッシュ付きフィルター９の上枠９ａ、下枠９ｂは、リング状の樹脂など（例えばポリプロピレン）で出来ており、上枠９ａと下枠９ｂの間にメッシュ状のフィルター９ｃがインサート成形（溶着、接着でもよい）されている。フィルター９ｃのメッシュサイズは、数十メッシュあるいは数百メッシュのサイズとしている。
【００２２】
フィルター７の補強のために上枠と下枠を部分的につないでもよい。上枠９ａの開口部は、フィルター７の開口部より小さくし、その先端に下方に突出する凸リブ９ｄを設けた構成としたものである。この凸リブ９ｄの代わりに、中央部へいくほど下方に傾斜させてもよい。
【００２３】
フィルター９ｃは、リング状の樹脂の外側でも中央でも内側でもどの位置にあってもよい。上枠９ａには、径方向の位置決め用のリブ９ｅを設け、フィルター７とこの上枠９ａで位置規制をすることにより、フィルター７とメッシュ付きフィルター９同士の接触を防止することが出来る。上枠９ａとフィルター７の距離をメッシュ付きフィルター９とフィルター７の距離より小さくすることで位置規制をし、リブ９ｅを廃止してもよい。
【００２４】
また、メッシュ付きフィルター９の内側下部のスピンナー６にリブ６ｂが固形物流出防止壁となるよう配設されている。これは回転時にメッシュ付きフィルター９が遠心力で浮き上がり、スピンナー６との間に隙間が発生し、この隙間から粕の漏れを防ぐものである。
【００２５】
以上のように、メッシュ付きフィルター９の上部は開口部を小さくし、その先端に下方に突出する凸リブ９ｄを設けたことで切削粕の外部への放出を抑制することができ、また、下部からの粕などの微小な固形物の流出防止もでき、よりクリアなジュースを作ることが出来る。
【００２６】
（実施の形態２）
図４は、本発明の実施の形態２における回転調理装置の断面図、図５は、同回転調理装置の要部断面拡大図である。なお、上記実施の形態１における回転調理装置と同一部分には同一符号を付してその説明を省略する。
【００２７】
図４において、本実施の形態における回転調理装置は、本体１に内蔵したモータ２に直結した駆動コネクタ３ａ、３ｂと、駆動コネクタ３ａ、３ｂに着脱自在に係合する従動側コネクタ４ａ、４ｂを介しカッター５を回転させ調理物を切削し、同じく従動側コネクタ４ａ、４ｂを介しスピンナー６を回転させ着脱自在のフィルター７により、液体と固形物を分離させるようになっている。
【００２８】
また、フィルター７で分離された液体は、容器８を通過し、外部へ放出される。クリアなジュースを作る時は、フィルター７の内部に着脱可能なメッシュ付きフィルター９を装着すればよい。
【００２９】
また、本実施の形態における回転調理装置においては、図５に示すように、メッシュ付きフィルター９の上枠９ａの上とフィルター７の間にスプリング１０を設けている。これにより、回転時も含め常時メッシュ付きフィルター９とスピンナー６は密着または一定の微小な隙間を設けることができ、切削粕などの微小の固形物の流出を防ぐことが出来る。スプリング１０は、メッシュ付きフィルター９とほぼ同径となる１つのスプリングでも、径小のスプリングを複数箇所に配設してもよい。
【００３０】
以上のように、本実施の形態によれば、メッシュ付きフィルター９の下部からの切削粕の外部への放出を抑制することができ、よりクリアなジュースを作ることが出来る。
【００３１】
また本実施の形態では、スプリング１０を用いたが、ダンパー機構となるもので、メッシュ付きフィルター９とスピンナー６が密着あるいは一定の微小な隙間を設けられることが出来ればよい。
【産業上の利用可能性】
【００３２】
以上のように、本発明にかかる回転調理装置は、切削粕の流出を防止することができ、よりクリアなジュースやクリアな液体を得ようとする他の応用にも適用できる。
【符号の説明】
【００３３】
１  本体
２  モータ
３ａ、３ｂ  駆動コネクタ
４ａ、４ｂ  従動側コネクタ
５  カッター
６  スピンナー
７、９ｃ  フィルター
８  容器
９  メッシュ付きフィルター
９ｄ  凸リブ
１０  スプリング
１１  蓋
【図１】
2014014421.tif 000003
【図２】
2014014421.tif 000004
【図３】
2014014421.tif 000005
【図４】
2014014421.tif 000006
【図５】
2014014421.tif 000007
【図６】
2014014421.tif 000008